【誤訳訂正書】
【提出日】平成19年5月11日(2007.5.11)
【誤訳訂正１】
【訂正対象書類名】明細書
【訂正対象項目名】全文
【訂正方法】変更
【訂正の内容】
【書類名】          明細書
【発明の名称】  無線通信装置で特徴コードを使用するシステムおよび方法
【特許請求の範囲】
【請求項１】  下記を具備する無線通信装置：
ハウジングと、
前記ハウジング内にあり、システムから遠隔にある通信装置と通信するトランシーバと、
前記ハウジングに取り付けられ、かつ該トランシーバに電気的に結合されているアンテナと、
電力を該システムに供給する電池と、
複数の特徴コードを含むメモリと、
ディスプレイと、
前記ハウジングに取り付けられ、そのユーザ操作を検出し、宛先電話番号を入力し、かつユーザ入力宛先電話番号に関連する特徴コードを選択するキーパッド入力装置と、
前記ユーザ入力電話番号に対する関連特徴コードを自動的に予め未決定のままにして、それによって完全な宛先電話番号を生成する制御プロセッサとを備え、
該トランシーバは該完全宛先電話番号を送信し、該完全宛先電話番号に関連した該通信装置との無線通信リンクを確立する。
【請求項２】  該制御プロセッサが、該関連特徴コードを前記ユーザ入力宛先電話番号に選択的に付加することを可能にされる、請求項１のシステム。
【請求項３】  該制御プロセッサは、該制御プロセッサが選択的に不能にされるまで、該ユーザ入力宛先電話番号に対する全ての続く呼び出しで、前記ユーザ入力宛先電話番号に前記関連特徴コードを付加する、請求項２のシステム。
【請求項４】  前記無線通信装置は、電源投入モードおよび電源遮断モードを有し、かつ前記制御プロセッサは、前記無線通信装置が前記電源遮断モードに入るまで、前記ユーザ入力宛先電話番号に対する全ての続く呼び出しで前記ユーザ入力宛先電話番号に前記関連特徴コードを付加し、前記制御プロセッサは、前記無線通信装置が前記電源遮断モードに入る場合、不能にされる、請求項２のシステム。
【請求項５】  前記特徴コードは、サービスプロバイダーによって前記メモリに予めプログラムされることを特徴とする請求項１のシステム。
【請求項６】  前記特徴コードは、前記キーパッドを操作するユーザによって前記メモリに予めプログラムされる、請求項１のシステム。
【請求項７】  下記を具備する、無線通信装置において宛先電話番号に数字を自動的に付加するシステム：
ハウジングと、
前記ハウジング内にあり、該システムから遠隔にある通信装置と通信するトランシーバと、
前記ハウジングに取り付けられ、そのユーザ操作を検出し、宛先電話番号を入力するキーパッド入力装置と、
複数の所定の接頭を含むデータ構造と、
前記複数の接頭の中の選択されたひとつをユーザ入力宛先電話番号に自動的に付加し、それによって完全な宛先電話番号を生成する制御プロセッサとを備え、前記トランシーバは、前記完全な宛先電話番号を送信し、前記完全な宛先電話番号と関連した前記通信装置との無線通信リンクを確立する。
【請求項８】  複数の宛先電話番号を記憶する迅速ダイヤル記憶領域をさらに含み、前記ユーザ入力宛先電話番号が前記迅速ダイヤル記憶領域から選択され、かつ前記選択された接頭が前記迅速ダイヤル記憶領域から選択された前記ユーザ入力宛先電話番号と関連している、請求項７のシステム。
【請求項９】  前記選択された接頭と前記迅速ダイヤル記憶領域から選択された前記ユーザ入力宛先電話番号との関連を示すために、前記迅速ダイヤル記憶領域から選択された前記ユーザ入力宛先電話番号と関連する前記迅速ダイヤル記憶領域に記憶されたインジケータをさらに含む、請求項８のシステム。
【請求項１０】前記制御プロセッサが、前記ユーザ入力宛先電話番号に、選択された接頭を付加することを選択的に可能にされる、請求項７のシステム。
【請求項１１】前記制御プロセッサが不能にされるまで、前記制御プロセッサは、前記ユーザ入力宛先電話番号に対する全ての続く呼び出しで前記ユーザ入力宛先電話番号に前記選択された接頭を付加する、請求項１０のシステム。
【請求項１２】前記無線通信装置は電源投入モードおよび電源遮断モードを有し、かつ前記制御プロセッサは、前記無線通信装置が前記電源遮断モードに入るまで、前記ユーザ入力宛先電話番号に対する全ての続く呼び出しで、前記ユーザ入力宛先電話番号に前記選択された接頭を付加し、前記無線通信装置が前記電源遮断モードに入る場合、前記制御プロセッサは不能にされる、請求項１０のシステム。
【請求項１３】前記制御プロセッサは、前記ユーザ入力宛先電話番号に前記複数の接頭の中の多数の接頭を付加し、完全な宛先電話番号を生成する、請求項７のシステム。
【請求項１４】前記制御プロセッサは、前記複数の接頭の中の多数の接頭の各々を、前記ユーザ入力宛先電話番号に付加するために選択的に可能にされる、請求項１３のシステム。
【請求項１５】前記複数の接頭は、呼出し識別送信、発呼者識別の抑制およびメッセージ取り消し用を含む、請求項９のシステム。
【請求項１６】  下記を具備する、無線通信装置において宛先電話番号に数字を自動的に付加するシステム：
ユーザ操作を検出し、宛先電話番号を入力するキーパッド入力装置と、
ユーザ入力宛先電話番号に付加されるための複数の付加数字の複数のセットを含むメモリと、
該メモリからの複数の付加数字の複数のセットの加算を選択的に可能にするユーザ制御可能なイネーブル信号と、
複数の付加数字の前記複数のセットの中の第１の１つを、前記ユーザ入力宛先電話番号に自動的に付加し、それによって完全な宛先電話番号を生成する制御プロセッサ。
【請求項１７】前記制御プロセッサは、前記メモリからの付加数字の前記セットの中の第２の１つを前記ユーザ入力宛先電話番号に自動的に付加し、それによって完全な宛先電話番号を生成する、請求項１６のシステム。
【請求項１８】複数の宛先電話番号を記憶する迅速ダイヤル記憶領域をさらに含み、前記ユーザ入力宛先電話番号は前記迅速ダイヤル記憶領域から選択される、請求項１６のシステム。
【請求項１９】複数の付加数字の第１のセットと前記迅速ダイヤル記憶領域から選択された前記ユーザ入力宛先電話番号との関連を示すために、前記迅速ダイヤル記憶領域から選択された前記ユーザ入力宛先電話番号と関連する前記迅速ダイヤル記憶領域に記憶されたインジケータをさらに含む、請求項１８のシステム。
【請求項２０】付加数字の前記セットの少なくとも一部がサービスプロバイダーによって前記メモリ中に予めプログラム化される、請求項１６のシステム。
【請求項２１】付加数字の前記セットの少なくとも一部が、ユーザによって前記メモリに予めプログラム化される、請求項１６のシステム。
【請求項２２】完全な宛先電話番号を表示するディスプレイをさらに含む、請求項１６のシステム。
【請求項２３】完全な宛先電話番号を送信する送信機をさらに含み、送信機は、ユーザが、所定の手法で前記キーパッド入力装置を作動させることによって、表示された宛先電話番号を確認する場合だけ、表示された宛先電話番号を送信する、請求項２２のシステム。
【請求項２４】  複数の付加数字の複数のセットを記憶する、
宛先電話番号のユーザ入力を検出する、
前記複数の記憶された複数の付加数字からの複数の付加数字の複数のセットの付加を選択的に可能にする、
選択的に可能にされる場合、複数の第１の付加数字のセットをユーザ入力宛先電話番号に自動的に付加し、それによって完全な宛先電話番号を生成する、
ステップを具備する、無線通信装置において宛先電話番号に数字を自動的に付加する方法。
【請求項２５】付加するステップが、複数の付加数字の複数の第２のセットを、ユーザ入力宛先電話番号に自動的に付加し、それによって完全な宛先電話番号を生成する、請求項２４の方法。
【請求項２６】複数の付加数字の複数のセットの付加を可能にするステップが、複数の付加数字の複数の第１および第２のセットに対して別々に実行される、請求項２５の方法。
【請求項２７】複数の宛先電話番号を迅速ダイヤル記憶領域に記憶するステップをさらに含み、宛先電話番号のユーザ入力を検出するステップは、前記迅速ダイヤル記憶領域からの宛先電話番号のユーザ選択を検出する、請求項２４の方法。
【請求項２８】複数の付加数字の複数のセットを記憶するステップは、サービスプロバイダーによって複数の付加数字の複数のセットの少なくとも一部を記憶することを含む、請求項２４の方法。
【請求項２９】複数の付加数字の複数のセットを記憶するステップは、ユーザによって複数の付加数字の複数のセットの少なくとも一部を記憶することを含む、請求項２４の方法。
【請求項３０】複数の付加数字の複数のセットの付加を選択的に不能にするステップをさらに含み、ここにおいて付加するステップは、接頭を予め未決定のままにすることを選択的に不能にするステップが実行されるまで、前記ユーザ入力宛先電話番号に対する全ての続く呼出しで複数の付加数字の第１の複数のセットを前記ユーザ入力宛先電話番号に自動的に付加する、請求項２４の方法。
【請求項３１】複数の付加数字の複数のセットの付加を選択的に不能にするステップをさらに含み、ここにおいて、付加するステップは、前記無線通信装置が電源遮断モードに入るまで、前記ユーザ入力宛先電話番号に対する全ての続く呼出しで複数の付加数字の複数の第１セットを前記ユーザ入力宛先電話番号に自動的に付加し、複数の付加数字の複数のセットの付加を選択的に不能にするステップは、前記無線通信装置が電源遮断モードに入る場合に、実行される、請求項２４の方法。
【発明の詳細な説明】
【０００１】
【発明の属する技術分野】
本発明は、一般に無線通信装置、より詳細には無線通信システムで特徴コード(feature codes)を使用するシステムおよび方法に関するものである。
【従来の技術】
セルラ電話のような無線通信装置は、従来の電話システムの代替として広く使用されている。従来の電話の代替としての機能を果たすことに加えて、無線通信装置は携帯性の長所があり、ユーザは、地球上のほとんどいかなる地域からも地球上のほとんどいかなる他の地域へ無線通信リンクを確立させることができる。
【０００２】
典型的な無線通信装置を使用する通信リンクを確立させるために、ユーザは、所望の宛先電話番号（例えば、５５５〜１２３４）を入力し、「送信」ボタンを押す。しばしば使用される電話番号は、無線通信装置内の迅速ダイヤル記憶領域に記憶されてもよい。その番号が迅速ダイヤル記憶領域に記憶されている電話と通信リングを確立させるために、ユーザは、所望の迅速ダイヤル位置を読み出し、送信ボタンを押す。
【０００３】
従来の無線通信装置の１つの欠点は、ユーザが特徴コードを使用するために付加数字を手動で入力しなければならないことである。例えば、「＊８２」のような特徴コードは、呼出識別データ（すなわち、発呼者ＩＤ）を宛先電話に送信するために宛先電話番号(destination telephone number)に対して予め未決定(pre-pending)のままにされることができる。同様に、発呼者ＩＤは、宛先電話番号に対して予め未決定「＊６７」によってブロックされることができる。迅速ダイヤル記憶位置が、電話番号５５５〜１２３４でプログラムされる場合、迅速ダイヤル位置の電話番号は、特徴コードを使用するために編集されねばならない。特徴コードを使用するために、ユーザは特徴コードおよび特徴コードの各々に関連する機能を覚えなければならない。
【０００４】
いくつかの従来技術の無線通信システムは、ユーザが迅速ダイヤル記憶位置にある電話番号の特徴コードを手動で予め未決定のままにすることができる編集モードを含む。しかしながら、ユーザは編集モードに入り、所望の数字を手動で付加し、呼出しを開始するより前に編集モードを出る故に、このようなシステムは扱いにくい。さらに、呼出しが開始される度に、ユーザは、選択された迅速ダイヤル位置のデータを手動で編集しなければならない。
【０００５】
したがって、無線通信装置において宛先電話番号に対する特徴コードを自動的に予め未決定のままにし、それによって完全な宛先電話番号を提供するシステムおよび方法に関する際立った要求があることを理解できる。本発明は、下記の説明および添付図面によって示されるような本長所および他の長所を提供する。
【０００６】
［本願発明の概要］
本発明は、無線通信装置で数字(digits)を宛先電話番号に自動的に付加するシステムおよび方法で実施される。典型的な実施形態では、このシステムは、ユーザが宛先電話番号を入力できるキーパッド(keypad)入力装置を備えている。メモリは、ユーザ入力(user-entered)宛先電話番号に付加される複数の付加数字のセットを含む。このシステムは、メモリからの付加数字のセットの付加を選択的に可能にするユーザ制御可能なイネーブル(enable)信号を含む。制御プロセッサは、付加数字のセットの中の第１のものをユーザ入力宛先電話番号に自動的に付加し、それによって完全な宛先電話番号を生成する。
【０００７】
典型的な実施形態では、制御プロセッサは、メモリからの付加数字のセットの中の第２のものをユーザ入力宛先電話番号に自動的に付加し、それによって全宛先電話番号を生成できる。このシステムは、複数の宛先電話番号を記憶する迅速ダイヤル記憶領域をさらに含んでもよい。本実施形態では、ユーザ入力宛先電話番号は迅速ダイヤル記憶領域から選択されてもよい。このシステムは、迅速ダイヤル記憶領域から選択されるユーザ入力宛先電話番号と関連する迅速ダイヤル記憶領域に記憶されたインジケータ(indicator)をさらに含んでもよい。このインジケータは、第１の付加数字のセットと、迅速ダイヤル記憶領域から選択されたユーザ入力宛先電話番号との関連を指示するために使用される。
【０００８】
一実施形態では、付加数字のセットの少なくとも一部は、サービスプロバイダーによってメモリに予めプログラムされる。一方、付加数字のセットの少なくとも一部は、ユーザによって予めプログラムされてもよい。
【０００９】
このシステムは、完全な宛先電話番号を表示するディスプレイを含んでもよい。このシステム内の送信機は、ユーザが所定の手法でキーパッド入力装置を作動させることによって表示された宛先電話番号を確認する場合だけ、完全な宛先電話番号を送信してもよい。
【００１０】
このシステムは、制御プロセッサが選択的に不能にされるまで、第１の付加数字のセットを、ユーザ入力宛先電話番号に対する全ての続く呼出しにおけるユーザ入力宛先電話番号に付加するように選択的に作動されてもよい。一方、無線通信装置は、電源投入モードおよび電源遮断モードを有する。本実施形態では、無線通信装置が電源遮断モードに入るまで、制御プロセッサは、第１の付加数字のセットを、ユーザ入力宛先電話番号に対する全ての続く呼出しにおけるユーザ入力宛先電話番号に付加する。無線通信装置が電源遮断モードに入る場合、制御プロセッサは不能にされる。
【００１１】
【発明の実施の形態】
本発明は、宛先電話番号に対する特徴コードを自動的に予め未決定のままにし、それによって完全な宛先電話番号を生成する技術を提供する。本議論の目的のために、「完全な(complete)」宛先電話番号は、１つあるいはそれ以上の接頭数字(prefix digits)が、ユーザによって望まれる手法で所望の電話呼出しの完了に十分である宛先電話番号を生成するためにユーザ入力部分宛先電話番号に対して予め未決定のままにされる宛先電話番号である。本議論の目的のために、「部分(partial)」宛先電話番号は、ユーザ入力電話番号がユーザによって（例えば、発呼者ＩＤで）所望される手法で電話呼出しを完了するのに十分な情報を供給しない宛先電話番号である。本発明は、部分宛先電話番号に対する必要な数字を自動的に予め未決定のままにし、それによって完全な宛先電話番号を生成する。
【００１２】
アメリカ合衆国の電話システムは、完全なローカル電話番号に対して７桁および長距離電話に対して１０桁の入力を必要とする。しかしながら、ユーザは、ローカルあるいは長距離電話に対する接頭数字を予め未決定のままにし、発呼者ＩＤ等のような特徴(features)を実施しなければならない。本発明は、従来のようにユーザに呼出し特徴のリストを提供し、ユーザ入力宛先電話番号に対して必要な数字を自動的に予め未決定のままにする。さらに、下記に詳述されるように、本発明は、必要な予め未決定のままにされる数字をユーザ入力宛先電話番号に対する続く電話呼出しに自動的に付加できる。
【００１３】
本発明は、図１の機能ブロック図に示されたシステム１００で実施される。このシステム１００は、システムの動作を制御する中央処理装置（ＣＰＵ）１０２を含んでいる。読み出し専用メモリ（ＲＯＭ）およびランダムアクセスメモリ（ＲＡＭ）の両方を含んでもよいメモリ１０４は、命令およびデータをＣＰＵ１０２に供給する。メモリ１０４の一部も不揮発性ランダムアクセスメモリを含んでもよい。下記により詳述されるように、メモリ１０４の不揮発性ランダムアクセスメモリ部は、宛先電話番号および特徴コード(featute codes)を記憶するために使用されてもよい。
【００１４】
一般的にはセルラ電話のような無線通信装置で実施されるシステム１００は、システム１００と、セルサイト(cell site)コントローラ（図示されない）のような遠隔位置との間でのオーディオ通信のようなデータの送受信を可能にする送信機１０８および受信機１１０を含んでいるハウジング(housing)１０６も含んでいる。送信機１０８および受信機１１０は、トランシーバ１１２に結合されてもよい。アンテナ１１４は、ハウジング１０６に取り付けられ、トランシーバ１１２に電気的に結合される。送信機１０８、受信機１１０、およびアンテナ１１４の動作は、当該技術分野で周知であり、ここで説明する必要がない。
【００１５】
キーパッド１１８は、従来の手法のようにユーザによる動作のためにハウジング１０６に取り付けられる。後述されるように、キーパッド１０８は、宛先電話番号がユーザによって入力されてもよい便利のよい入力装置を提供する。キーパッドは、ユーザが記憶された宛先電話番号によって逐次移動させることができる１つあるいはそれ以上のスクロールボタン１２０も含む。スクロールボタン１２０は、ユーザ入力宛先電話番号に対して予め未決定のままにするための特徴コードを選択する便宜的な技術も提供する。
【００１６】
システム１００は、宛先電話番号のようなユーザ入力データのようなユーザへの命令を表示するために便利よく使用されてもよいディスプレイ１２２も含んでいる。システム１００の典型的な実施形態では、ディスプレイ１２２は、電話呼出しの開始より前にユーザに関する完全な宛先電話番号を表示する。
【００１７】
部分宛先電話番号のようなユーザ入力データは、キーパッド１１８を使用してシステム１００に入力され、時々迅速ダイヤル記憶領域と呼ばれる電話番号記憶領域１２６に記憶されてもよい。電話番号記憶領域１２６は、メモリ１０４の不揮発性メモリ部に記憶されてもよいしあるいは別個の記憶領域に記憶されてもよい。従来のメモリとして示されているが、当業者は、電話番号記憶領域１２６が任意の適当なデータ構造であってもよいことを理解できる。
【００１８】
システム１００は、宛先電話番号を一時的に記憶するダイヤル(dialed)数字記憶領域１３２も含む。ダイヤル数字記憶領域１３２は、ユーザが所望の宛先電話番号を手動で入力する場合、キーパッド１１８を介してユーザによって入力された部分電話番号を受け取る。しかしながら、システム１００は、記憶された(stored)宛先電話番号のユーザ選択宛先電話番号に応じて電話番号記憶領域１２６から選択された部分宛先電話番号をダイヤル数字記憶領域１３２に自動的に入力する。
【００１９】
接頭記憶領域１２８は、電話サービスプロバイダー(provider)によって予め規定されてもよいし、あるいはユーザによって規定されてもよい１つあるいはそれ以上の特徴コードを記憶するために使用される。下記に詳述されるように、ユーザは、接頭記憶領域１２８から特徴コードを容易に選択し、それらを部分宛先電話番号に付加し、完全な宛先電話番号を生成できる。一旦ユーザによって選択されると、特徴コードは、特定の宛先電話番号に対する続く呼出しに対して自動的に予め未決定のままにされてもよいし、あるいは全ての続く入力宛先電話番号に対して予め未決定のままにされてもよい。
【００２０】
ユーザが部分宛先電話番号を入力するか、あるいは部分宛先電話番号を電話番号記憶領域１２６から選択する場合、部分宛先電話番号は、完全な宛先電話番号を生成するために特徴コードを付加することによって補充される。完全な宛先電話番号はダイヤル数字記憶領域１３２に記憶される。動作中、送信機１０８は、ダイヤル数字記憶領域１３２中のデータを送信し、その電話番号がダイヤル数字記憶領域に記憶される宛先電話に対する電話呼出しを開始する。
【００２１】
呼出し履歴領域１３４は、所定の数の以前にダイヤルされた所定数の宛先電話番号を記憶する。例えば、呼出し履歴記憶領域１３４は、最後の１０個の電話呼出しからの宛先電話番号を記憶してもよい。電話呼出しが開始される場合、ダイヤル数字記憶領域１３２中のデータは、呼出し履歴記憶領域に転送される。呼出し履歴記憶領域１３４は、以前にダイヤルされた電話番号を読み出すために便利よく使用される。典型的な実施形態では、完全な宛先電話番号は呼出し履歴記憶領域１３４に記憶される。他の実施形態では、部分宛先電話番号だけが呼出し履歴記憶領域１３４に記憶される。この他の実施形態では、呼出し履歴記憶領域１３４に記憶された宛先電話番号を使用する場合、特徴コードは部分宛先電話番号に対して予め未決定のままにされるかどうかをユーザは選択的に制御できる。
【００２２】
システム１００の構成要素は電池１４０によって電力を供給される。典型的な実施形態では、電池１４０は再充電可能な電池である。一方、システム１００は、ＡＣアダプタ（図示せず）、自動車電源アダプタ（図示せず）等のような外部電源によって電力を供給されてもよい。
【００２３】
システム１００のいろいろの構成要素は、データバスに加えて電力バス、制御信号バス、および状態信号バスを含んでもよいバスシステム１４２によって一緒に結合される。しかしながら、明らかにするために、いろいろのバスは、バスシステム１４２として図１に示される。
【００２４】
次に、接頭を部分宛先電話番号に付加するシステム１００の動作が説明され得る。典型的な実施形態では、接頭記憶領域１２８は下記の表に示される構造を有する。
【表１】
2002507094.tif 000001
【００２５】
表１は、各々が接頭数字および接頭数字の定義あるいは記述を含む１０個の接頭記憶位置を示している。定義／記述中の接頭記憶位置の数、接頭数字の数および文字の数が接頭記憶領域１２８の記憶容量だけによって限定されることを理解すべきである。本発明は接頭記憶領域１２８の特定のサイズによって限定されない。一つの実施形態では、発呼者ＩＤのような特徴コードは、製造者によって予めプログラムされてもよいし、あるいは無線通信装置が購入された時点でサービスプロバイダーによって予めプログラムされてもよい。一方、ユーザは、エリアコード、長距離コード等のような所望の特徴コードあるいは付加接頭を入力してもよい。表１は、特徴コードおよび長距離コードの組み合わせが接頭記憶領域１２８に入力された場合の本実施形態を示している。例えば、接頭番号５は、特徴コード（すなわち、＊８２）およびエリアコード（すなわち、６１９）の両方を含んでいる。したがって、ユーザは、１つあるいはそれ以上の特徴コードあるいは他の接頭を接頭記憶領域１２８に入力してもよい。
【００２６】
図２Ａ〜２Ｄは、データを接頭記憶領域１２８に入力するために使用されるプログラミング技術の例を提供する。無線通信装置中のオプションリストの使用は周知である。図２Ａでは、ディスプレイ１２２に示されたオプションリストは接頭リストオプションを含んでいる。ユーザは、公知のようにスクロールボタン１２０を操作し、接頭リストオプションを選択する。図２Ｂでは、接頭リストオプションが選択され、最初の接頭（すなわち、接頭０）がディスプレイ１２２に示される。ユーザは、接頭記憶領域１２０から異なる接頭を選択するためにダウンスクロールボタン１２０を付勢してもよいし、あるいは現在表示されている接頭を編集するためにアップスクロールボタン１２０を付勢してもよい。図２Ｃは、現在表示されている接頭を編集する例を示している。図２Ｃでは、前のエリアコードは、エリアコード６１９と取り換えられ、ユーザ入力接頭の記述は、エリアコードがサンディエゴエリアに対応することを示している。ユーザは、現在表示されているエントリをさらに編集するためにアップスクロールボタン１２０を付勢してもよいし、あるいは現在表示されているデータに対して行われた編集変更を確認するためにダウンスクロールボタン１２０を付勢してもよい。ユーザがダウンスクロールボタン１２０を付勢し、編集された表示を確認する場合、システム１００は、新しい項目が接頭記憶領域１２８に付加されるべきであるかどうかをユーザに問い合わせるために図２Ｄの表示に変えてもよい。ユーザは所望のようにアップダウンスクロールボタン１２０を付勢する。ユーザがアップスクロールボタン１２０を付勢する場合、編集データは接頭記憶領域１２８に記憶される。ユーザは、同様に接頭記憶領域中の他のエントリを編集してもよい。当業者は、無線通信装置中でオプションを選択するために一般的に使用される他の技術が接頭記憶領域１２８中に新しいデータを入力するか、あるいは接頭記憶領域中の既存エントリを編集するために使用できることを理解できる。
【００２７】
この接頭は、接頭記憶領域１２８から選択され、キーパッド１１８（図１を参照）を介してユーザによって入力された部分宛先電話番号と関連してもよいし、あるいは電話番号記憶領域１２６中の迅速ダイヤル電話番号と関連してもよい。下記の表は、１つあるいはそれ以上の接頭を電話番号記憶領域１２６中に記憶された部分宛先電話番号と関連付けるために使用される技術の典型的な実施形態を提供する。
【表２】
2002507094.tif 000002
【００２８】
表２に示されるように、多数の迅速ダイヤル記憶位置は電話番号記憶領域１２６中で使用可能である。使用可能な実際の記憶位置の数は、ユーザに使用可能な不揮発性ＲＡＭの量のような要素によって決まる。しかしながら、本発明は、電話番号記憶領域１２６中の特定数の使用可能な記憶位置によって限定されない。表２に示された例では、記憶位置０は部分宛先電話番号５５５〜１２３４を含む。記憶位置０と関連して表２にも記憶されるのは接頭２および０である。接頭関連値は、適切な接頭が検出され、記憶された数に対して自動的に予め未決のままにされ、それによって完全な宛先電話番号を生成する接頭記憶領域１２８内の位置を示している。表２に示された例では、記憶位置０は、表１の例を使用する接頭記憶領域１２８中の記憶された部分宛先電話番号５５５〜１２３４および接頭＊８２および３１２それぞれに対するポインタを含んでいる。表１に示された例は、記憶位置０のシカゴエリアに対応するエリアコード３１２を含んでいる。しかしながら、図２Ａ〜２Ｄに示された例では、接頭番号０は、サンディエゴエリアに関連した接頭６１９に対して編集された。この例では、電話番号記憶領域１２６中の迅速ダイヤル記憶位置０中の接頭関連はエリアコード６１９を含む。したがって、ユーザが電話番号記憶領域１２６から迅速ダイヤル記憶位置０を読み出す場合は常に、関連接頭は、記憶された電話番号に対して予め未決定のままにされ、それによって完全な宛先電話番号を生成する。
【００２９】
他の例では、迅速ダイヤル記憶位置４は記憶された電話番号５５５〜１２３５を含む。迅速ダイヤル記憶位置４と関連しているのは、表１を参照する場合、エリアコード６１９とともに特徴コード＊８２を含む接頭５である。したがって、ユーザが迅速ダイヤル位置４を電話番号記憶領域１２６から選択する場合、システム１００は、記憶電話番号５５５〜１２３５に対して自動的に＊８２  ６１９を予め未決定のままにし、それによって完全な宛先電話番号＊８２  ６１９  ５５５―１２３５を生成する。
【００３０】
接頭記憶領域１２８からの選択された接頭を電話番号記憶領域１２６中の迅速ダイヤル位置と関連付ける処理が、図３Ａおよび図３Ｂに示されている。図３Ａでは、ユーザは、従来の技術を使用して、部分宛先電話番号５５５―１２３４を含む迅速ダイヤル記憶位置０中の部分宛先電話番号を読み出した。ユーザは、ダウンスクロールボタン１２０を付勢することによって迅速ダイヤル記憶位置０を編集してもよい。ダウンスクロールボタン１２０の付勢に応じて、システム１００は、接頭記憶領域１２８に記憶される接頭リストの現在の内容を表示する。図３Ｂでは、接頭位置０はディスプレイ１２２に表示される。図３Ｂの例では、接頭位置０は編集され（図２Ａ〜２Ｄを参照）、サンディエゴエリアに関連したエリアコード６１９を現在含んでいる。ユーザは、ダウンスクロールボタン１２０を付勢することによって接頭記憶領域１２８（図１を参照）中に記憶される接頭リストから異なる接頭を選択してもよい。ユーザが、表示された接頭を関連付けたい場合、ユーザは、アップスクロールボタン１２０を付勢し、接頭関連を、選択された迅速ダイヤル記憶位置に付加する。ユーザがアップスクロールボタン１２０を付勢する場合、接頭関連は、選択された迅速ダイヤル記憶位置に関連する電話番号記憶領域１２６に記憶される。したがって、システム１００は、ユーザが１つあるいはそれ以上の接頭を電話番号記憶領域１２６に記憶される電話番号に付加してもよい簡単で、汎用性のある技術を提供する。例えば、サンディエゴエリアからのユーザは、少しの付加接頭も付加しないで迅速ダイヤル記憶位置４中の電話番号を通常使用してもよい。しかしながら、サンディエゴエリアの範囲外の地域に旅行する場合、ユーザは、記憶された電話番号と関連付けるために１つあるいはそれ以上の接頭を迅速に選択でき、ユーザが電話番号記憶領域１２６中の選択された迅速ダイヤル位置をその後読み出すときは常に、記憶された電話番号に対して自動的に予め未決定のままにされる。上記の表２に示された例では、システム１００は、迅速ダイヤル記憶位置４の部分宛先電話番号５５５〜１２３５に対して自動的に予め未決定のままにする。
【００３１】
典型的な実施形態では、システム１００は、電話番号記憶領域１２６から選択された部分宛先電話番号に対する関連接頭を自動的に予め未決定のままにする。他の実施形態では、システム１００は、完全な宛先電話番号が正しいことをユーザからの確認を要求してもよい。これは、完全な宛先電話番号がユーザによる確認を要求するメッセージとともにディスプレイ上に示されている図４に示されている。ユーザがアップスクロールボタン１２０を付勢する場合、システム１００は、完全な宛先電話番号に関連した通信装置と無線通信装置との間の無線通信リンクを開始する。
【００３２】
典型的な実施形態では、システム１００は、無線通信装置がターンオフされる(turned off)まで、選択された接頭を記憶する。この時点で、全接頭関連は削除される。しかしながら、電話番号記憶領域１２６（図１を参照）に記憶される宛先電話番号は削除されない。一方、無線通信装置への電力がターンオフされた後さえ、関連接頭が保持されるべきであるかどうかを決定するためにユーザにメッセージを表示できる。これは、ディスプレイ１２２がアップスクロールボタン１２０を選択するかあるいは関連接頭を一時的に記憶することにより、電源がオンのままである間はダウンスクロールボタン１２０を付勢することによって、関連接頭を永久に記憶するオプションをユーザに与える図５に示される。
【００３３】
システム１００の典型的な実施形態の動作は図６Ａおよび図６Ｂのフローチャートに示されている。図６Ａに示された開始１５０で、無線通信装置は電力不足である。判定１５２で、システム１００は、ユーザが接頭エントリを編集したいかどうかを決定する。このステップの例は、オプションのリストがユーザによる選択のためにディスプレイ１２２上に示されている図２Ａに示されている。ユーザが接頭リストオプションを選択する場合、判定１５２の結果はイエスである。この場合、ステップ１５４では、システム１００は、接頭記憶領域１２８（図１を参照）からの接頭リストをディスプレイ１２２上に表示する。ステップ１５８では、システム１００は、キーパッド１１８のユーザ付勢を検出し、接頭の中の１つをリストから選択する。前述のように、ユーザは、例として、スクロールボタン１２０を付勢し、編集のための所望の接頭を選択する。ステップ１６０では、システム１００は、キーパッド１１８および／またはスクロールボタン１２０のユーザ付勢を検出し、選択された接頭エントリを編集する。判定１６２では、システムは、ユーザがより多くの接頭エントリを編集したいかどうかを決定する。ユーザは、単一の編集セッションに１つあるいはそれ以上の接頭エントリを編集してもよい。この編集は、接頭記憶領域１２８（図１を参照）にあるデータを変え、新しい接頭データを接頭記憶領域の以前に使用されていない位置に入力するかあるいは既存の接頭データを接頭リストから取り除くことを含んでもよい。ユーザが接頭リスト１２８中の付加エントリを編集したい場合、判定１６２の結果はイエスである。この場合、システム１００は、ステップ１５４に戻り、ユーザによる付加編集のための接頭リストを表示する。ユーザが編集処理を完了した場合、判定１６２の結果はノーである。この場合、図６Ｂに示された判定１６６では、システム１００は、ユーザが編集されたリストを保存したいかどうかを決定する。これは、ユーザが新しく編集された接頭データを接頭記憶領域１２８に付加するか否かを確認するように要求される図２に示されている。ユーザが編集データを保管したい場合、判定１６６の結果はイエスであり、システム１００は、ステップ１６８で編集データを接頭記憶領域１２８中に保管し、１７０で編集処理を終了する。ユーザが編集リストを保管したくない場合、判定１６６の結果はノーであり、この処理は、編集接頭データを接頭記憶領域１２８に保管しないで１７０で終了する。
【００３４】
部分宛名電話番号を電話番号記憶領域１２６（図１を参照）から再読み出し、選択された接頭データを自動的に予め未決定のままにするシステム１００の動作は図６Ａのフローチャートにも示されている。再び図６Ａに戻り、ユーザが接頭エントリを編集したくない場合、判定１５２の結果はノーである。ステップ１８０では、システム１００は、キーパッド１１８および／またはスクロールボタン１２０のユーザ付勢(activiation)を検出し、部分宛名電話番号を電話番号記憶領域１２６から読み出す。電話番号記憶領域１２６中の特定迅速ダイヤル位置からのデータの再読み出しは周知のように行われ、図３Ａの典型的な実施形態で示される。ステップ１８２では、システム１００は接頭リストの少なくとも一部をディスプレイ１２２上に表示する。ユーザは、選択された部分宛名電話番号に関連する１つあるいはそれ以上の接頭を選択する。この処理は、電話番号記憶領域１２６から選択された迅速ダイヤル位置が接頭記憶領域１２８から選択された１つあるいはそれ以上の接頭に関連している図３Ａおよび図３Ｂに示されている。
【００３５】
判定１８８で、ユーザは、選択された部分宛名電話番号に関連する接頭の選択を確認するように要求される。ユーザが選択を確認しない場合、判定１８８の結果はノーであり、システムは、１つあるいはそれ以上の他の接頭を選択された部分宛名電話番号と関連付けるために接頭リストを表示するためのステップ１８２に戻る。ユーザが接頭の選択を確認する場合、判定１８８の結果はイエスであり、ステップ１９０では、システム１００は、接頭関連を電話番号記憶領域１２６に記憶する。この処理は１９２で終了する。したがって、ユーザは、カスタマイズ化された(customized)接頭リストを作成し、１つあるいはそれ以上の接頭を電話番号記憶領域１２６からの選択された宛名電話番号と関連づけることができる。一方、前述のように、ユーザは、無線通信装置の製造者あるいは無線通信装置が購入され、操作のためにプログラムされる時点でサービスプロバイダーによって接頭リスト１２８に予めプログラムされる特徴コードに限定されてもよい。
【００３６】
１つあるいはそれ以上の接頭を自動的に予め未決定のままにするシステム１００の動作は、開始２００で、無線通信装置が電力不足である図７のフローチャートに示される。ステップ２０２では、システム１００は、ユーザ入力を検出し、宛名電話番号の中の選択された１つを電話番号記憶領域１２６から読み出す。ステップ２０４では、システム１００は、選択された部分宛名電話番号と関連する１つあるいはそれ以上の接頭を接頭記憶領域１２８から再読み出す(recall)。上記の表２に示されるように、システム１００は、接頭記憶領域１２８（図１を参照）中の複数の接頭記憶位置からの接頭を電話記憶領域１２６中の各迅速ダイヤル位置と関連付けることを可能にする。
【００３７】
ステップ２０８では、システム１００は、部分宛名電話番号に関連した接頭を予め未決定のままにし、それによって完全な宛名電話番号を生成する。ステップ２１０では、完全な宛名電話番号がディスプレイ１２２（図１を参照）上に示される。判定２１２では、ユーザは、接頭を部分宛名電話番号に付加することを確認するように要求される。ステップ２１０に示された表示および確認ならびに判定は任意であるが、ユーザに、予め未決のままにされる数字の選択を確認する機会を与えることに注目すべきである。ユーザが表示された完全な宛名電話番号を確認しない場合、判定２１２の結果はノーであり、システムは、電話番号を電話番号記憶領域１２６から読み出すことによってこの処理を再開始するためにステップ２０２に戻る。ユーザがディスプレイ１２２上に示された完全な宛名電話番号を確認する場合、判定２１２の結果はイエスである。この場合、送信機１０８（図１を参照）は、完全な宛名電話番号をセルサイト(a cell site)コントローラ（図示せず）のような遠隔位置に送信し、２１６でこの処理を終了する。
【００３８】
したがって、システム１００は、特徴コード、エリアコード等のような接頭をプログラミングすることにおいて顕著な汎用性をもたらし、１つあるいはそれ以上の接頭を記憶された宛名電話番号と関連付ける簡単な技術をもたらす。システム１００のいろいろの実施形態は前述された。例えば、接頭記憶領域１２８は、ユーザが、予めプログラムされる特徴コードの選択に制限されるように製造者あるいはサービスプロバイダーによって予めプログラムされてもよい。一方、システム１００は、ユーザによって望まれる特徴コードだけを選択するプログラミング機能をユーザに与えてもよい。さらに、ユーザは、エリアコード、長距離コード等のような他の接頭データも入力してもよい。接頭記憶領域１２８は個別の接頭あるいは接頭の組み合わせを含んでもよい。さらに、電話番号記憶領域１２６中の選択された迅速ダイヤル記憶位置は、接頭記憶位置１２８からの１つあるいはそれ以上の接頭と関連してもよい。前述のように、複数の単一接頭は、電話番号記憶領域１２６中の選択された宛名電話番号と関連してもよい。一方、接頭記憶領域１２８は単一の記憶位置内に複数の接頭を含んでもよい。本実施形態では、接頭記憶領域１２８からの単一の接頭記憶位置だけが選択された宛名電話番号と関連する必要がある。さらに、電話番号記憶領域１２６の複数の迅速ダイヤル位置は、接頭記憶領域１２８中の同じ接頭と関連してもよい。例えば、接頭＊８２は、電話番号記憶領域１２６のいくつかの部分宛名電話番号に関連してもよい。
【００３９】
たとえ無線通信装置への電力がターンオフされるとしても、システム１００は、永久に関連接頭を記憶する複数のオプションももたらす。他の実施形態では、無線通信装置への電力がターンオフされるまで、ユーザは、選択された接頭を選択された宛名電話番号とだけ一時的に関連付けるように編集してもよい。
【００４０】
たとえ本発明のいろいろの実施形態および長所が前述の説明で詳述されるとしても、上記の開示は例示だけであり、変更は細部において行われてもよく、本発明の幅広い原理内であることも理解すべきである。したがって、本発明は添付された請求の範囲によってのみ限定されるべきである。
【図面の簡単な説明】
【図１】
本発明の無線通信装置の典型的な実施形態の機能ブロック図である。
【図２Ａ】
オプションが図１の無線通信装置によって使用される接頭を選択できる技術を示している。
【図２Ｂ】
図１の無線通信装置による接頭データの表示を示している。
【図２Ｃ】
図１の無線通信装置による接頭データの編集を示している。
【図２Ｄ】
図１の無線通信装置によって使用される接頭データを記憶する技術を示している。
【図３Ａ】
接頭を選択される宛先電話番号に関連付けるために図１の無線通信装置によって使用される技術を示している。
【図３Ｂ】
選択される宛先電話番号と関連した接頭を記憶するために図１の無線通信装置によって使用されるディスプレイを示している。
【図４】
１つあるいはそれ以上の接頭が記憶された電話番号に対して予め未決のままにされた宛先電話番号を確認するために図１の無線通信装置によって使用される技術を示している。
【図５】
関連接頭および宛先電話番号を記憶するための図１の無線通信装置の動作を示している。
【図６Ａ】および【図６Ｂ】
接頭を規定し、接頭を宛先電話番号と関連付けるための図１の無線通信装置の動作を示すフローチャートを形成する。
【図７】
宛先電話番号に対する接頭を自動的に予め未決定のままにするための図１の無線通信装置の動作を示すフローチャートである。
【符号の説明】
１０６…ハウジング，１２０…スクロールボタン，１２２…ディスプレイ